(57)【要約】【課題】内容物の散布範囲を切り替える際の操作性が良好であり、より簡素な構成の注出キャップを提供する。【解決手段】注出キャップ３は、内容物が注出される注出孔１２が形成された天壁部１１を有し、容器本体２の口部２ａに装着されるキャップ本体１０と、注出孔を開放可能に閉塞する有頂筒状の蓋体２０と、蓋体をキャップ本体に対して上方に向けて回動可能に連結するヒンジ３０と、を備え、蓋体には、蓋体の頂壁２１から下方に向けて延びる拡散部２３が形成されている。【選択図】図１
2018203293.tif 000002
【特許請求の範囲】
【請求項１】
内容物が注出される注出孔が形成された天壁部を有し、容器本体の口部に装着されるキャップ本体と、
前記注出孔を開放可能に閉塞する有頂筒状の蓋体と、
前記蓋体を前記キャップ本体に対して上方に向けて回動可能に連結するヒンジと、を備え、
前記蓋体には、前記蓋体の頂壁から下方に向けて延びる拡散部が形成されていることを特徴とする、注出キャップ。
【請求項２】
前記拡散部のうち前記ヒンジ側を向く拡散面が、平面視において、前記注出孔と前記ヒンジとを結ぶ直線に対して交差する方向に延びていることを特徴とする、請求項１に記載の注出キャップ。
【請求項３】
前記拡散面は、平面視において、前記直線に直交する直交方向に沿って前記直線から離れるに従って漸次前記ヒンジから離れるように延びていることを特徴とする、請求項２に記載の注出キャップ。
【請求項４】
前記拡散部のうち、平面視において前記注出孔と前記ヒンジとを結ぶ直線上に位置する部分には、前記直線が延びる方向に前記拡散部を貫く貫通孔が形成されていることを特徴とする、請求項１から３のいずれか１項に記載の注出キャップ。
【発明の詳細な説明】
【技術分野】
【０００１】
本発明は、注出キャップに関する。
【背景技術】
【０００２】
従来から、注出孔が形成された天壁部を有し、容器本体の口部に装着されるキャップ本体と、注出孔を開閉する有頂筒状の蓋体と、蓋体をキャップ本体に対して連結するヒンジと、を備え、内容物の散布範囲の切り替えが可能な注出キャップが用いられている。例えば下記特許文献１の注出キャップは、第１蓋体および第２蓋体を備えており、第１蓋体を開放する場合と第２蓋体を開放する場合とで、内容物の散布範囲を切り替えることを可能としている。
【先行技術文献】
【特許文献】
【０００３】
【特許文献１】特許第５３８０２２７号公報
【発明の概要】
【発明が解決しようとする課題】
【０００４】
この種の注出キャップでは、その構成を複雑にすることなく、内容物の散布範囲を切り替える際の操作性を良好にすることが望まれている。
【０００５】
本発明はこのような事情を考慮してなされたもので、内容物の散布範囲を切り替える際の操作性が良好であり、より簡素な構成の注出キャップを提供することを目的とする。
【課題を解決するための手段】
【０００６】
上記課題を解決するために、本発明の注出キャップは、内容物が注出される注出孔が形成された天壁部を有し、容器本体の口部に装着されるキャップ本体と、前記注出孔を開放可能に閉塞する有頂筒状の蓋体と、前記蓋体を前記キャップ本体に対して上方に向けて回動可能に連結するヒンジと、を備え、前記蓋体には、前記蓋体の頂壁から下方に向けて延びる拡散部が形成されていることを特徴とする。
【０００７】
本発明の注出キャップによれば、蓋体が注出孔よりも下方に位置するようにこの注出キャップを倒立姿勢または傾倒姿勢にした際に、注出孔から蓋体の内面に注出された内容物を拡散部に当てて拡散させることで、この内容物を広範囲に散布することができる。このとき、拡散部が蓋体に形成されているため、蓋体を開放すると注出孔と拡散部との間の距離が大きくなる。これにより、内容物をより効果的に拡散させることが可能であるとともに、蓋体が閉じられた状態でこの注出キャップをコンパクトにし、流通・保管時のかさ張りを抑えることができる。
また、例えば注出孔を大きく開口させなくても、このように広範囲に内容物を散布することができるため、蓋体を注出孔よりも上方に位置させて内容物を拡散部に接触させずに注出させた場合には、内容物の散布範囲を容易に狭くすることができる。
また、開放位置にある蓋体の注出孔に対する上下方向の位置、すなわち注出キャップの姿勢を変化させることによって内容物の散布範囲の切り替えが可能であり、操作性が良好である。さらに、内容物の散布範囲を切り替える機能を、蓋体の頂壁から下方に向けて延びる拡散部によって実現しているため、注出キャップ全体の構成を簡素なものとすることができる。
【０００８】
ここで、前記拡散部のうち前記ヒンジ側を向く拡散面が、平面視において、前記注出孔と前記ヒンジとを結ぶ直線に対して交差する方向に延びていてもよい。
【０００９】
この場合、拡散面に当たった内容物を、この拡散面が延びる方向に拡散させて、内容物を広い範囲に散布させることが可能となる。
【００１０】
また、前記拡散面は、平面視において、前記直線に直交する直交方向に沿って前記直線から離れるに従って漸次前記ヒンジから離れるように延びていてもよい。
【００１１】
この場合、拡散面に当たった内容物の一部をこの拡散面に沿って移動させ、より確実に広範囲に散布させることができる。
【００１２】
また、前記拡散部のうち、平面視において前記注出孔と前記ヒンジとを結ぶ直線上に位置する部分には、前記直線が延びる方向に前記拡散部を貫く貫通孔が形成されていてもよい。
【００１３】
この場合、内容物の一部が貫通孔を通じて流出するため、散布される内容物の量の直交方向におけるばらつきを抑えることができる。
【発明の効果】
【００１４】
本発明によれば、内容物の散布範囲を切り替える際の操作性が良好であり、より簡素な構成の注出キャップを提供することができる。
【図面の簡単な説明】
【００１５】
【図１】本実施形態の注出キャップの縦断面図である。
【図２】蓋体を開いた状態における注出キャップの平面図である。
【図３】蓋体を開いた状態における注出キャップの縦断面図である。
【図４】蓋体が注出孔よりも上方に位置するように注出キャップを傾けた場合の、注出キャップの縦断面図である。
【図５】蓋体が注出孔よりも下方に位置するように注出キャップを傾けた場合の、注出キャップの縦断面図である。
【発明を実施するための形態】
【００１６】
以下、本実施形態の構成を、図１〜図５を参照しながら説明する。以下の説明では、注出キャップ３が容器本体２に取り付けられて構成された注出容器１を例にして、本実施形態を説明する。
図１に示すように、注出容器１は、内容物が収容される有底筒状の容器本体２と、容器本体２の口部２ａに装着される有頂筒状の注出キャップ３と、を備えている。容器本体２内に収容される内容物は、特に限定されないが、例えば粉状、粒状、あるいは液状などであってもよい。
【００１７】
注出キャップ３は、内容物が注出される注出孔１２が形成された天壁部１１を有し、容器本体２の口部２ａに装着される筒状のキャップ本体１０と、注出孔１２を開放可能に閉塞する有頂筒状の蓋体２０と、蓋体２０をキャップ本体１０に対して回動可能に連結するヒンジ３０と、注出孔１２を閉塞する抜栓部４０と、を備えている。本実施形態の注出キャップ３は、キャップ本体１０、蓋体２０、ヒンジ３０、および抜栓部４０が、射出成形などによって一体に形成されている。なお、注出キャップ３は抜栓部４０を備えていなくてもよい。
【００１８】
ここで本実施形態では、キャップ本体１０および蓋体２０の各中心軸は共通軸上に位置している。以下、この共通軸をキャップ軸Ｏといい、キャップ軸Ｏに沿う方向を上下方向といい、上下方向に沿うキャップ本体１０側を下方といい、蓋体２０側を上方という。
また、上下方向から見た平面視において、キャップ軸Ｏに直交する方向をキャップ径方向といい、キャップ軸Ｏ回りに周回する方向をキャップ周方向という。また、平面視において、注出孔１２とヒンジ３０とを結ぶ直線Ｌ１（図２参照）に沿う方向を前後方向といい、前後方向に直交する方向を直交方向という。また、前後方向に沿う注出孔１２側を前方、ヒンジ３０側を後方という。
【００１９】
（キャップ本体）
図１に示すように、キャップ本体１０は、先述の天壁部１１および注出孔１２と、容器本体２の口部２ａに嵌合された嵌合筒部１３と、天壁部１１から上方に向けて延びる前方ガイド１４および後方ガイド１５と、を有している。
嵌合筒部１３は、二重の筒状に形成されている。嵌合筒部１３のうち、前方の部分（以下、前壁部という）は、後方の部分（以下、後壁部という）よりも上下方向の長さが大きくなっている。嵌合筒部１３の下端部には、キャップ径方向の内側に向けて突出する嵌合部１３ａが、嵌合筒部１３の全周にわたって形成されている。嵌合部１３ａは、容器本体２の口部２ａに形成された被嵌合部にアンダーカット嵌合している。嵌合筒部１３の後壁部における上端部には、キャップ径方向の外側に向けて突出する第１係合部１３ｂが形成されている。
【００２０】
天壁部１１は、容器本体２の口部２ａにおける上端開口部よりも下方に位置しており、口部２ａを閉塞している。注出孔１２は、天壁部１１を上下方向に貫通している。
図２に示すように、注出孔１２は、前後方向に延びる中間孔１２ｂと、中間孔１２ｂの前方に連なる前方孔１２ａと、中間孔１２ｂの後方に連なる後方孔１２ｃと、を有する。中間孔１２ｂの直交方向における幅は略一定となっている。前方孔１２ａおよび後方孔１２ｃの直交方向における最大の幅は、中間孔１２ｂの幅よりも大きい。前方孔１２ａの前端部における直交方向の幅は、前方に向かうに従って漸次小さくなっている。後方孔１２ｃの後端部における直交方向の幅は、後方に向かうに従って漸次小さくなっている。注出孔１２は、直線Ｌ１に対して線対称に形成されている。
【００２１】
前方ガイド１４のうち前方の部分は、注出孔１２よりも前方に設けられており、前方ガイド１４のうち後方の部分は、注出孔１２と前後方向において重なる位置に設けられている。前方ガイド１４は、直交方向に間隔を空けて一対形成されている。一対の前方ガイド１４はそれぞれ、上下方向に延びる板状に形成されている。一対の前方ガイド１４同士の間の直交方向における間隔は、前方に向かうに従って漸次小さくなっている。一対の前方ガイド１４の後端部は、前方孔１２ａよりも直交方向における外側に位置している。一対の前方ガイド１４は、直線Ｌ１に対して線対称に形成されている。
【００２２】
後方ガイド１５のうち後方の部分は、注出孔１２よりも後方に設けられており、後方ガイド１５のうち前端部は、注出孔１２と前後方向において重なる位置に設けられている。後方ガイド１５は、直交方向に間隔を空けて一対形成されている。一対の後方ガイド１５はそれぞれ、上下方向に延びる板状に形成されている。一対の後方ガイド１５同士の間の直交方向における間隔は、後方に向かうに従って漸次小さくなっている。一対の後方ガイド１５の前端部は、後方孔１２ｃよりも直交方向における外側に位置している。一対の後方ガイド１５は、直線Ｌ１に対して線対称に形成されている。
【００２３】
抜栓部４０は、環状のプルリング４１と、注出孔１２を閉塞するシール部４２と、シール部４２の外縁と注出孔１２の内縁とを接続する弱化部４３と、を有している。弱化部４３は、シール部４２などよりも薄肉に形成されており、抜栓部４０をキャップ本体１０に対して引き上げると容易に破断される。
【００２４】
（ヒンジ）
図１に示すように、ヒンジ３０は、キャップ本体１０の嵌合筒部１３における後壁部の上端と、蓋体２０の周壁２２の下端と、を連結している。図２に示すように、ヒンジ３０は、直交方向における中央部に位置する厚肉部３１と、厚肉部３１の直交方向における両側に位置する一対の薄肉部３２と、を有している。薄肉部３２は、厚肉部３１よりも肉厚が薄く、弾性変形可能に形成されている。蓋体２０をキャップ本体１０に対してヒンジ３０回りに回動させると、薄肉部３２が弾性変形する。薄肉部３２に作用する引張力によって、蓋体２０が、閉じた状態若しくは開いた状態で保持される。
【００２５】
（蓋体）
蓋体２０は、円板状の頂壁２１と、頂壁２１の外周縁から下方に向けて延びる周壁２２と、頂壁２１の前端部から前方に突出する摘み部２１ａと、を有している。
周壁２２は、頂壁２１の外周縁のうち、前後方向におけるヒンジ３０側の部分に形成されており、前後方向における摘み部２１ａ側の部分には形成されていない。すなわち、蓋体２０は、周壁２２のうち摘み部２１ａ側の少なくとも一部が切り欠かれた有頂筒状に形成されている。図１に示すように、周壁２２の下端部には、キャップ径方向の内側に向けて突出する第２係合部２２ａが形成されている。第２係合部２２ａは、キャップ本体１０の第１係合部１３ｂにアンダーカット嵌合する。
【００２６】
ここで、図１および図２に示すように、本実施形態の蓋体２０には、その頂壁２１から下方に向けて延びる拡散部２３が形成されている。拡散部２３は、直線Ｌ１を直交方向に跨って形成されている。すなわち、注出孔１２、ヒンジ３０、および拡散部２３は、同一の直線Ｌ１上に位置している。拡散部２３は、平面視において厚みが一定の、湾曲した板状に形成されている。拡散部２３のうち、前後方向におけるヒンジ３０側を向く面（以下、拡散面２３ｂという）は、平面視において、直線Ｌ１に対して交差する方向に延びている。さらにこの拡散面２３ｂは、平面視において、直交方向に沿って直線Ｌ１から離れるに従って漸次ヒンジ３０から離れるように延びている（図２参照）。拡散部２３のうち、直線Ｌ１上に位置する部分には、前後方向に拡散部２３を貫く貫通孔２３ａが形成されている。貫通孔２３ａは、前後方向から見て矩形状に形成されており、拡散部２３の上下方向における全長にわたって形成されている。
【００２７】
次に、以上のように構成された注出キャップ３の作用について説明する。
【００２８】
注出容器１から内容物を注出させる際、図３に示すように、摘み部２１ａを摘んで上方に引き上げることで、蓋体２０をキャップ本体１０に対してヒンジ３０回りに回動させる。
次に、プルリング４１に手指などを掛けて上方に引き上げることで、弱化部４３を破断させ、抜栓部４０をキャップ本体１０から取り外す。これにより、注出孔１２が開放される。なお、注出キャップ３が抜栓部４０を備えていない場合は、蓋体２０を回動させることで注出孔１２が開放される。
【００２９】
注出孔１２を開放した状態で、注出容器１を倒立姿勢にすると、内容物の自重によって、容器本体２内の内容物が注出孔１２から注出される。
この際、内容物を比較的狭い範囲に散布させる場合には、図４に示すように、前方ガイド１４が注出孔１２よりも下方に位置し、蓋体２０が注出孔１２よりも上方に位置するように、注出容器１を傾ける。これにより、注出孔１２のうち主として前方孔１２ａから出た内容物が、一対の前方ガイド１４同士の間に流入する。ここで、一対の前方ガイド１４の後端部は前方孔１２ａよりも直交方向における外側に位置しており、一対の前方ガイド１４同士の間の直交方向における間隔は、前方に向かうに従って漸次小さくなっている。この構成により、注出孔１２から注出された内容物は、一対の前方ガイド１４によって比較的狭い範囲に集められた状態で、注出容器１の外部に散布される。
【００３０】
一方、内容物を比較的広い範囲に散布させる場合には、図５に示すように、後方ガイド１５および蓋体２０が注出孔１２よりも下方に位置するように、注出容器１を傾ける。これにより、注出孔１２のうち主として後方孔１２ｃから注出された内容物が、一対の後方ガイド１５同士の間に流入し、蓋体２０の内面に向けて落下し、拡散部２３の拡散面２３ｂに当たる。拡散面２３ｂに当たった内容物のうち、一部は拡散面２３ｂに沿って直交方向に拡散し、一部は貫通孔２３ａ内に流入し、一部は拡散部２３を乗り越える。このように、内容物は拡散部２３で拡散され、比較的広い範囲で注出容器１の外部に散布される。
【００３１】
以上説明したように、本実施形態の注出キャップ３によれば、注出孔１２から注出された内容物を拡散部２３に当てて拡散させることで、内容物を広範囲に散布することができる。このとき、拡散部２３が蓋体２０に形成されているため、蓋体２０を開放すると注出孔１２と拡散部２３との間の距離が大きくなり、内容物をより効果的に拡散させることが可能である。
【００３２】
また、注出孔１２を大きく開口させなくても、このように広範囲に内容物を散布することができるため、内容物を拡散部２３に接触させずに散布した場合に、内容物の散布範囲を容易に狭くすることができる。
また、開放位置にある蓋体２０の注出孔１２に対する上下方向の位置、すなわち注出キャップ３の姿勢を変化させることによって内容物の散布範囲の切り替えが可能であり、操作性が良好である。さらに、内容物の散布範囲を切り替える機能を、蓋体２０の頂壁２１から下方に向けて延びる拡散部２３によって実現しているため、注出キャップ３全体の構成を簡素なものとすることができる。
【００３３】
また、拡散面２３ｂが直交方向に延びていることで、拡散面２３ｂに当たった内容物を直交方向に拡散させることが可能となり、内容物を直交方向における広い範囲に散布させることができる。さらに、拡散面２３ｂが、直交方向に沿って直線Ｌ１から離れるに従って漸次ヒンジ３０から離れるように延びているため、拡散面２３ｂに当たった内容物の一部をこの拡散面２３ｂに沿って移動させ、より確実に広範囲に散布することができる。
【００３４】
また、拡散部２３のうち、平面視において注出孔１２とヒンジ３０とを結ぶ直線Ｌ１上に位置する部分に貫通孔２３ａが形成されていることで、内容物の一部がこの貫通孔２３ａを通じて流出するため、散布される内容物の量の直交方向におけるばらつきを抑えることができる。
また、蓋体２０の周壁２２が、前後方向における摘み部２１ａ側の部分に形成されていないため、拡散部２３によって拡散した内容物が、周壁２２と頂壁２１との隅部に溜まってしまうのを防ぎ、内容物を確実に散布することができる。
【００３５】
なお、本発明の技術的範囲は前記実施の形態に限定されるものではなく、本発明の趣旨を逸脱しない範囲において種々の変更を加えることが可能である。
【００３６】
例えば、前記実施形態では、ヒンジ３０の薄肉部３２に作用する引張力によって蓋体２０を開いた状態で保持したが、この構成に代えて、あるいはこの構成に加えて、蓋体２０を開いた状態で保持するための係止部と被係止部を、蓋体２０とキャップ本体１０に設けてもよい。
【００３７】
また、前記実施形態では、拡散部２３に貫通孔２３ａが形成されていたが、このような貫通孔２３ａが拡散部２３に形成されていない構成を採用してもよい。また、拡散部２３に複数の貫通孔２３ａが形成されていてもよい。また、貫通孔２３ａの上下方向における長さは、拡散部２３の上下方向における長さより小さくてもよい。
また、拡散部２３は厚みが略一定の湾曲した板状に形成されていたが、拡散部２３は湾曲していない板状であってもよく、その厚みが一定でなくてもよい。
【００３８】
また、前記実施形態では、前方ガイド１４および後方ガイド１５は上下方向に延びる一対の板状に形成されていたが、例えばこれらを前後方向に延びる半円筒状に形成してもよい。この場合、半円筒状の前方ガイドを通じて内容物を散布することで散布範囲をより小さくしたり、半円筒状の後方ガイドを通じて内容物を拡散部２３に向かわせることで内容物をより確実に拡散部２３に当てたりすることが可能となる。また、注出キャップ３には、これらの前方ガイド１４および後方ガイド１５が設けられていなくてもよい。
【００３９】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４０】
１…注出容器  ２…容器本体  ２ａ…口部  ３…注出キャップ  １０…キャップ本体  １１…天壁部  １２…注出孔  ２０…蓋体  ２１…頂壁  ２３…拡散部  ２３ａ…貫通孔  ２３ｂ…拡散面  Ｌ１…直線  Ｏ…キャップ軸
【図１】
2018203293.tif 000003
【図２】
2018203293.tif 000004
【図３】
2018203293.tif 000005
【図４】
2018203293.tif 000006
【図５】
2018203293.tif 000007